(57)【特許請求の範囲】
【請求項１】
動画対応の撮影レンズと動画非対応の撮影レンズのいずれであっても装着可能なレンズ交換式撮像装置であって、
被写体からの光を光学ファインダに導く第１の位置と被写体からの光を撮像素子に受光させる第２の位置のいずれかに切り替わる光学手段と、
前記撮像素子に受光された被写体像をライブビュー表示する表示手段と、
電源がオンになった状態で、前記撮影レンズから取得した識別情報と格納されているテーブル情報とから装着されている撮影レンズが動画対応の撮影レンズか否かを判断するとともに、動画非対応の撮影レンズが装着されている場合には、前記光学手段を前記第１の位置に切り替え、動画対応の撮影レンズが装着されている場合には、前記光学手段を第２の位置に切り替えるとともに前記表示手段によるライブビュー表示を開始させる制御手段とを有することを特徴とするレンズ交換式撮像装置。
【請求項２】
前記電源がオンになった状態には、スリープから復帰した状態も含むことを特徴とする請求項１に記載のレンズ交換式撮像装置。
【請求項３】
前記電源がオンになった状態には、前記撮影レンズをマウント部に取り付けた状態も含むことを特徴とする請求項１に記載のレンズ交換式撮像装置。
【請求項４】
前記制御手段は、動画対応の撮影レンズが装着されている場合、動画撮影前の状態がライブビュー表示の状態であったときには、動画撮影の終了後に、ライブビュー表示を継続し、動画撮影前の状態が光学ファインダモードであったときには、動画撮影の終了後に、前記ライブビュー表示を停止するとともに、前記光学手段を第１の位置に切り替えることを特徴とする請求項１ないし３のいずれか１項に記載のレンズ交換式撮像装置。
【発明の詳細な説明】
【技術分野】
【０００１】
本発明は、動画対応の撮影レンズと動画非対応の撮影レンズのいずれであっても装着可能なレンズ交換式撮像装置に関する。
【背景技術】
【０００２】
近年、静止画を主に撮影するデジタルカメラにおいても動画が重要視されるようになってきた。静止画と違い動画においては、撮影中全ての動作を滑らかに、ゆっくり、静かに行い、撮影動画をユーザーが鑑賞して違和感の無いものとしなければならない。その為にはハードから従来の製品よりも細かい段階で、遅い動作で、静かに動くように開発する必要がある。
【０００３】
一眼レフと呼ばれるレンズ交換式カメラの場合、レンズ側もフォーカス、絞り、ズームなど全ての動作がハード設計からの動画対応が必要である。しかしレンズマウントの互換性がある場合、従来の静止画のみを念頭においた交換レンズと、新設計の動画対応レンズが混在することになり、両方がカメラに接続されることを考慮しなければならなくなった。
【０００４】
このようにレンズが混在している状態の対策として、特許文献１がある。これはレンズを見分けることによりフォーカスアシストを行うもので、動画や静止画について考慮されたものではない。
【先行技術文献】
【特許文献】
【０００５】
【特許文献１】特許第４３３１５２３号公報
【発明の概要】
【発明が解決しようとする課題】
【０００６】
動画対応レンズと、従来の動画非対応レンズが混在している中、ユーザーは動画を撮影するために動画対応レンズをカメラに接続し、動画撮影操作を行い、静止画を撮影するために従来レンズをカメラに接続して静止画撮影操作を行うことになる。つまり、レンズを選択した時点でユーザーは動画か静止画の撮影目的が決まっていることになる。それなのにユーザーはレンズを選択したうえ、さらに煩雑な動画や静止画の撮影動作を切り替える操作が必要であった。
【０００７】
一眼レフでの実例をあげると、静止画を撮影する際には静止画撮影のためミラーダウンさせ、光学ファインダから被写体を確認し、静止画撮影ボタンによって初めてミラーアップさせ、撮影する。一方、動画の場合は始めからミラーアップし、被写体を撮像素子に映し、液晶モニタなどの電子表示手段に表示するライブビュー状態にして被写体を確認し、動画撮影ボタンで録画を開始する。
【０００８】
つまり、ユーザーはレンズを選択した上でさらに、静止画のためにミラーダウンか、動画のためにライブビューかを選択する煩雑な設定操作の必要があった。
【０００９】
（発明の目的）
本発明の目的は、撮像装置に装着されたレンズが動画対応であっても動画非対応であってもユーザーの操作を煩雑にすることのないレンズ交換式撮像装置を提供することである。
【課題を解決するための手段】
【００１０】
上記目的を達成するために、本発明のレンズ交換式撮像装置は、動画対応の撮影レンズと動画非対応の撮影レンズのいずれであっても装着可能なレンズ交換式撮像装置であって、被写体からの光を光学ファインダに導く第１の位置と被写体からの光を撮像素子に受光させる第２の位置のいずれかに切り替わる光学手段と、前記撮像素子に受光された被写体像をライブビュー表示する表示手段と、電源がオンになった状態で、前記撮影レンズから取得した識別情報と格納されているテーブル情報とから装着されている撮影レンズが動画対応の撮影レンズか否かを判断するとともに、動画非対応の撮影レンズが装着されている場合には、前記光学手段を前記第１の位置に切り替え、動画対応の撮影レンズが装着されている場合には、前記光学手段を第２の位置に切り替えるとともに前記表示手段によるライブビュー表示を開始させる制御手段とを有することを特徴とするものである。
【発明の効果】
【００１１】
本発明によれば、撮像装置に装着されたレンズが動画対応であっても動画非対応であってもユーザーの操作を煩雑にすることのないようにすることができる。
【図面の簡単な説明】
【００１２】
【図１】本発明の実施例である撮像装置の構成を示すブロック図である。
【図２】実施例のメイン制御動作を示すフローチャートである。
【図３】実施例の静止画撮影動作を示すフローチャートである。
【図４】実施例の動画撮影動作を示すフローチャートである。
【発明を実施するための形態】
【００１３】
本発明を実施するための形態は、以下の実施例に記載される通りである。
【実施例】
【００１４】
以下、本発明の実施例について図を用いて説明する。
【００１５】
（装置の構成）
図１は本発明の実施例である、動画対応の撮影レンズと動画非対応の撮影レンズのいずれであっても装着可能なレンズ交換式撮像装置としてのデジタルカメラの構成を示すブロック図である。
【００１６】
図１に示すように、本実施例のデジタルカメラ２００には、動画対応の撮影レンズ１００が不図示のマウント部のレンズ装着機構を介して着脱可能に取り付けられる。マウント部には、電気接点ユニット１０７が設けられている。この電気接点ユニット１０７には、通信クロックライン、データ送信ライン、データ受信ラインなどからなる通信バスライン用の端子が有る。デジタルカメラ２００は、撮影レンズ１００とこの電気接点ユニット１０７を介して通信を行い、撮影レンズ１００内のフォーカスレンズ１０１および光量を調節する絞り１０２の駆動を制御する。なお、図１には、撮影レンズ１００内のレンズとしてフォーカスレンズ１０１のみを示しているが、このほかに変倍レンズや固定レンズが設けられ、これらを含めてレンズユニットを構成する。
【００１７】
また、電気接点ユニット１０７には、通信用バスラインと、カメラ側から画像の蓄積タイミングをレンズ側に伝達するための同期信号ラインも設けられている。
【００１８】
不図示の被写体からの光束は、撮影レンズ１００内のフォーカスレンズ１０１を含むレンズユニットおよび絞り１０２を介して、デジタルカメラ２００内のクイックリターンミラー２０３に導かれる。クイックリターンミラー２０３は、撮影光路内に光軸に対して斜めに配置されて、被写体からの光束を上方のファインダ光学系に導く第１の位置（図示のミラーダウンした位置）と、撮影光路外に退避する第２の位置（ミラーアップした位置）とに移動が可能である。
【００１９】
クイックリターンミラー２０３の中央部はハーフミラーになっており、クイックリターンミラー２０３が第１の位置にダウンしているときには、被写体からの光束の一部が該ハーフミラー部を透過する。そして、この透過した光束は、クイックリターンミラー２０３の背面側に設けられたサブミラー２０４で反射し、焦点検出回路２０６とともに自動焦点調整ユニットを構成する位相差ＡＦセンサ２０５に導かれる。焦点検出回路２０６は、位相差ＡＦセンサ２０５を用いて、撮影レンズ１００の焦点状態の検出（焦点検出）を行う。
【００２０】
一方、クイックリターンミラー２０３で反射された光束は、ピント面に存在するファインダスクリーン２０２、およびペンタプリズム２０１、接眼レンズ２０７により構成されるファインダ光学系を介して撮影者の目に至る。
【００２１】
また、クイックリターンミラー２０３が第２の位置にアップした際には、撮影レンズ１００からの光束は、機械シャッタであるフォーカルプレーンシャッタ２１０および光学フィルタ２１１を介して撮像素子２１２に至り、受光される。光学フィルタ２１１は、赤外線をカットして可視光線のみを撮像素子２１２へ導く機能と、光学ローパスフィルタとしての機能とを有する。
【００２２】
また、フォーカルプレーンシャッタ２１０は、先幕および後幕を有して構成されており、撮影レンズ１００からの光束の透過および遮断を制御する。
【００２３】
なお、クイックリターンミラー２０３が第２の位置にアップしたときには、サブミラー２０４もクイックリターンミラー２０３に対して折り畳まれて撮影光路外に退避する。
【００２４】
静止画撮影時のみならず、ライブビュー時もクイックリターンミラー２０３は第２の位置にアップする。
【００２５】
また、本実施例のデジタルカメラ２００は、当該デジタルカメラ全体の制御を司るシステムコントローラ２３０を有する。システムコントローラ２３０は、ＣＰＵやＭＰＵ等により構成され、後述する各回路等の動作を制御する。
【００２６】
システムコントローラ２３０の動作プログラムはＲＯＭ２３７に記録され、場合によってはＤＲＡＭ２２９に展開され、実行される。後述のフローは全てこのプログラム動作によって実行される。デジタルカメラ２００はいくつもの処理を同時に行う必要があるため、リアルタイムＯＳなどによって複数のタスクは優先度、割り込みなどによって適宜実行されるものとする。
【００２７】
システムコントローラ２３０は、電気接点ユニット１０７を介して、通信バスラインにより、撮影レンズ１００内のレンズコントローラ１０８に対して通信を行う。レンズコントローラ１０８もシステムコントローラ２３０と同様にＣＰＵやＭＰＵ等により構成され、撮影レンズ１００内の各回路等の動作を制御する。
【００２８】
システムコントローラ２３０とレンズコントローラ１０８間の通信では、システムコントローラ２３０からレンズコントローラ１０８に対しては、レンズ１００内のフォーカスレンズ１０１の駆動命令や停止命令および駆動量や絞り１０２の駆動量、およびレンズ側の各種データの送信要求が送信される。レンズコントローラ１０８からシステムコントローラ２３０に対しては、フォーカスレンズ１０１や絞り１０２などが駆動中かどうかを示すステータス情報や、開放Ｆ値や焦点距離などのレンズ側の各種パラメータが送信される。
【００２９】
フォーカス制御時、システムコントローラ２３０はレンズコントローラ１０８に対して、レンズ駆動方向や駆動量についての指令を通信によって行う。レンズコントローラ１０８は、システムコントローラ２３０からのレンズ駆動命令を受信すると、レンズ駆動制御回路１０４を介して、フォーカスレンズ１０１を光軸方向に駆動してピント合わせを行うレンズ駆動機構１０３を制御する。レンズ駆動機構１０３は、ステッピングモータやＤＣモータを駆動源として有する。
【００３０】
絞り制御時は、システムコントローラ２３０はレンズコントローラ１０８に対して、絞り駆動量についての指令を通信によって行う。レンズコントローラ１０８は、システムコントローラ２３０からの絞り駆動命令を受信すると、絞り制御駆動回路１０６を介して、絞り１０２を駆動する絞り駆動機構１０５を制御し、指令された値まで絞り１０２を駆動する。
【００３１】
また、システムコントローラ２３０は、シャッタ制御回路２１５と測光回路２０９とにも接続されている。シャッタ制御回路２１５は、システムコントローラ２３０からの信号に応じて、フォーカルプレーンシャッタ２１０の先幕および後幕の走行駆動を制御する。
【００３２】
また、システムコントローラ２３０には、本デジタルカメラ２００を制御する上で調整が必要なパラメータや、デジタルカメラ個体の識別を行うための固有の情報であるカメラＩＤ（識別）情報が記憶されたＥＥＰＲＯＭ２２３に接続されている。また、ＥＥＰＲＯＭ２２３には、基準レンズ（本デジタルカメラの工場での調整時に用いられる撮影レンズ）を用いて調整された、撮影に関するパラメータの調整値等が記憶されている。
【００３３】
測光回路２０９は、接眼レンズ２０７の近傍に配設された測光センサ２０８に接続されており、測光センサ２０８を通じて被写体の輝度を測定する。測光回路２０９の測定結果は、システムコントローラ２３０へ送られる。
【００３４】
また、システムコントローラ２３０は、レンズコントローラ１０８にレンズ駆動命令を送信してレンズ駆動制御回路１０４を介してレンズ駆動機構１０３を制御することにより、被写体像を撮像素子２１２上に結像させる。また、システムコントローラ２３０は、設定されたＡｖ値に基いて、レンズコントローラ１０８に絞り駆動命令を送信し、レンズコントローラ１０８は絞り駆動制御回路１０６を介して絞り駆動機構１０５を制御する。さらに、システムコントローラ２３０は設定されたＴｖ値に基いてシャッタ制御回路２１５に制御信号を出力する。
【００３５】
フォーカルプレーンシャッタ２１０の先幕、後幕は、駆動源がバネにより構成されており、シャッタ走行後、次の動作のためにバネチャージを要する。シャッタチャージ機構２１４は、このバネチャージを制御する。また、ミラー駆動機構２１３によりクリックリターンミラー２０３のアップダウン駆動が行われる。
【００３６】
また、上記システムコントローラ２３０には、カメラＤＳＰ２２７が接続されている。このカメラＤＳＰ２２７は、ＤＳＰ（デジタル信号プロセッサ）により構成される補正データサンプル回路及び補正回路である。カメラＤＳＰ２２７は、撮像素子２１２の制御、および該撮像素子２１２から入力された画像データの補正や加工などをシステムコントローラ２３０の指令に基づいて実行する。画像データの補正・加工の項目の中には、オートホワイトバランスも含まれている。また、カメラＤＳＰ２２７の内部にはコントラストＡＦのためにコントラスト値算出のための回路ブロックも内蔵されている。
【００３７】
カメラＤＳＰ２２７には、タイミングジェネレータ２１９、セレクタ２２２を介してＡ／Ｄコンバータ２１７、ビデオメモリ２２１、ワークメモリ２２６が接続されている。撮像素子２１２からの電気信号は、ＣＤＳ／ＡＧＣ回路２１６を介して画素毎に順にＡ／Ｄコンバータ２１７で所定のデジタル信号に変換される。ＣＤＳ／ＡＧＣ回路２１６は、既知の相関二重サンプリング等の方法により撮像素子２１２の出力に含まれるリセットノイズ等を除去するとともに、所定の信号レベルまで出力を増幅する。
【００３８】
ここで、撮像素子２１２は、全体の駆動タイミングを決定しているタイミングジェネレータ２１９からの信号に基づき、画素毎の水平駆動並びに垂直駆動のためのドライバ回路２１８からの出力で駆動されることにより、画像信号を発生して出力する。同様に、撮像素子２１２から出力される画像信号をアナログ的に処理して所定の信号レベルに変換するＣＤＳ／ＡＧＣ回路２１６、およびＡ／Ｄコンバータ２１７も、タイミングジェネレータ２１９からのタイミング信号に基づいて動作する。
【００３９】
Ａ／Ｄコンバータ２１７からの出力は、システムコントローラ２３０からの信号に基づいて信号を選択するセレクタ２２２を介してメモリコントローラ２２８に入力し、フレームメモリであるＤＲＡＭ２２９に全て転送される。撮影動作終了後、メモリコントローラ２２８の制御により、撮影データを記憶しているＤＲＡＭ２２９の内容を、セレクタ２２２を介してカメラＤＳＰ２２７に転送する。このカメラＤＳＰ２２７は、ＤＲＡＭ２２９に記憶されている各撮影データの各画素データを基に、ＲＧＢの各色信号を生成する。
【００４０】
ビデオやコンパクトデジタルカメラでは、撮影前状態時に、この結果をビデオメモリ２２１に定期的（毎フレーム）に転送することで、モニタ表示部２２０により電子ファインダ表示（ライブビュー表示）等を行っている。一眼レフ方式のデジタルカメラでは、通常、撮影前時点ではクイックリターンミラー２０３やフォーカルプレーンシャッタ２１０により撮像素子２１２は遮光されているため、ライブビュー表示は行えない。しかし、クイックリターンミラー２０３をアップし、撮影光路より退避させてからフォーカルプレーンシャッタ２１０を開いた状態にすることで、ライブビュー動作が可能となる。また、ライブビュー時に撮像素子２１２からの画像信号をカメラＤＳＰ２２７もしくはシステムコントローラ２３０が処理することでコントラスト評価値を得ることができ、該評価値を用いてコントラスト方式のＡＦを行うことが可能である。また、ライブビュー時においては測光に関しても、測光センサ２０８にも光束が届かないので、撮像素子２１２からの画像データの輝度情報を元に測光演算を行う撮像面ＡＥが行われる。撮像面ＡＥに必要な画面内の測光領域ごとの輝度平均値もカメラＤＳＰ２２７もしくはシステムコントローラ２３０が処理することで求められる。
【００４１】
撮影時には、システムコントローラ２３０からの制御信号によって、１フレーム分の各画素データをＤＲＡＭ２２９から読み出し、カメラＤＳＰ２２７で画像処理を行ってから、一旦、ワークメモリ２２６に記憶する。そして、ワークメモリ２２６のデータを圧縮・伸張回路２２５で所定の圧縮フォーマットに基づいて圧縮し、その結果を外部不揮発性メモリ（外部メモリ）２２４に記憶する。外部不揮発性メモリ２２４として、通常、フラッシュメモリ等の不揮発性メモリを使用する。また、ハードディスク、磁気ディスク等などであってもよい。
【００４２】
また、撮影済みの画像データを観察する場合、外部不揮発性メモリ２２４に圧縮・記憶されたデータを、圧縮・伸張回路２２５を通じて通常の撮影画素毎のデータに伸張し、その結果をカメラＤＳＰ２２７に接続されているビデオメモリ２２１に転送することで、モニタ表示部２２０を通じて表示を行うことができる。
【００４３】
さらに、システムコントローラ２３０には、動作表示回路２３１と、レリーズスイッチＳＷ１（２３３）と、レリーズスイッチＳＷ２（２３４）とが接続されている。また、操作することによりライブビューの開始、終了を行うスイッチであるライブビューモードスイッチ２３５、動画撮影開始スイッチ２３６、およびその他の撮影モードなどの設定や各種の選択を行うための操作スイッチ２３２が接続されている。動作表示回路２３１は、上記各スイッチ類により設定又は選択されたカメラの動作状態を、液晶素子やＬＥＤ（発光ダイオード）、有機ＥＬ等の表示素子により表示する。
【００４４】
レリーズスイッチＳＷ１（２３３）は、測光・焦点検出エリアなどの撮影準備動作を開始させるためのスイッチである。レリーズスイッチＳＷ２（２３４）は、撮影動作（静止画像を取得するための電荷蓄積および電荷読み出し動作）を開始させるためのスイッチである。動画撮影開始スイッチ２３６は動画撮影を開始させるためのスイッチである。
【００４５】
一方、撮影レンズ１００において、レンズコントローラ１０８には、メモリ１０９が設けられている。メモリ１０９には、該撮影レンズ１００の焦点距離や開放絞り値等の性能情報、該撮影レンズ１００を識別するための固有の情報であるレンズＩＤ（識別）情報が記憶されている。また、システムコントローラ２３０から通信により受け取った情報を記憶する。また、コントラストＡＦ動作中に同期信号ラインからの蓄積タイミング信号によってレンズ位置情報がラッチされ、このレンズ位置情報を格納するためにも用いられる。
なお、性能情報およびレンズＩＤ情報は、デジタルカメラ２００への装着時における初期通信により、システムコントローラ２３０に送信され、システムコントローラ２３０はこれらをＥＥＰＲＯＭ２２３に記憶させる。また、撮影レンズ１００には、フォーカスレンズ１０１の位置情報を検出するためのレンズ位置情報検出回路１１０が設けられている。レンズ位置情報検出回路１１０で検出されたレンズ位置情報はレンズコントローラ１０８に読み取られ、フォーカスレンズ１０１の駆動制御等に用いられたり、電気接点ユニット１０７を介してシステムコントローラ２３０にレンズ位置情報として送られたりする。レンズ位置情報検出回路１１０は、たとえばレンズ駆動機構を構成するモータの回転パルス数を検出するパルスエンコーダ等により構成される。その出力はレンズコントローラ１０８内の図示されないハードウェアカウンタに接続され、レンズが駆動されるとその位置情報はハード的にカウントされる。レンズコントローラ１０８がレンズ位置情報を読み取る際には、内部のハードウェアカウンタのレジスタにアクセスし、記憶されているカウンタ値を読み込む。そのため、レンズ位置情報の読み込みはメモリアクセスとほぼ同様にレンズコントローラ１０８としては非常に負荷の軽い処理である。
【００４６】
動画対応の撮影レンズ１００とまったく同じ構成の動画非対応の撮影レンズ４００も存在する。構成が同じなので詳述しないが違う点は、レンズ駆動機構１０３と絞り駆動機構１０５が、動画非対応の撮影レンズ４００においては、静止画撮影に用いられるため、段階的に動作する。
【００４７】
一方、動画対応の撮影レンズ１００においては、より細かい段階で動作し、より遅い動作が可能であり、より静かな動作が可能である。つまり、動画対応の撮影レンズ１００は動画非対応の撮影レンズ４００と比べ、絞り１０２を低速で、かつ／または静かに、かつ／または細かい段階で駆動可能である。また、フォーカスレンズを低速で、かつ／または静かに、かつ／または細かい段階で駆動可能である。また、ズームレンズを低速で、かつ／または静かに、かつ／または細かい段階で駆動可能である。さらに、動画対応の撮影レンズ１００はウォブリング動作可能である。ウォブリング動作とは、コントラストＡＦにおいてコントラスト評価値が高くなるフォーカスレンズの移動方向を判定するためにフォーカスレンズを微小振動させることである。
【００４８】
（メイン制御動作）
次に、このような構成を持つデジタル一眼レフカメラにおけるメイン制御動作を図２のフローチャートに従って説明する。
【００４９】
電源投入後や電池装填後、スリープ状態からの復帰、撮影レンズ接続後などでこのフローチャートが開始し、システムコントローラ２３０は、まず、初期設定としてハードウェアの初期化やフラグ類のリセットを行う（Ｓ１０１）。
【００５０】
次に、システムコントローラ２３０は、装着されている撮影レンズと通信を行い、レンズコントローラ１０８から上述のレンズＩＤ（識別）情報などのレンズ情報の通信を開始する。
【００５１】
次に、システムコントローラ２３０は、レンズコントローラ１０８からレンズ情報を読み込む（Ｓ１０２）。そして、レンズＩＤ（識別）情報と、予めＥＥＰＲＯＭ２２３に記憶されている、当該撮影レンズが動画対応のものか否かのテーブル情報とから、装着されている撮影レンズが動画対応の撮影レンズ１００であるか否かを判定する（Ｓ１０３）。
【００５２】
ステップＳ１０３の判定において、装着されている撮影レンズが動画対応の撮影レンズ１００だと判定した場合は、システムコントローラ２３０は、クイックリターンミラー２０３をファインダスクリーン２０２側に退避させた後（Ｓ１０５）、シャッタ２１０を開放する（Ｓ１０６）。次に、モニタ表示部２２０に動画像表示を開始させるように、カメラＤＳＰ２２７に指示を送る（Ｓ１０８）。これによってモニタ表示部２２０にライブビュー表示が行われる。
【００５３】
また、ステップＳ１０３の判定において、装着されている撮影レンズが動画非対応の撮影レンズ４００であると判定した場合に、システムコントローラ２３０は、モニタ表示部２２０にライブビュー表示を終了させるように、カメラＤＳＰ２２７に指示を送る（Ｓ１１１）。
【００５４】
次に、システムコントローラ２３０は、シャッタ２１０を閉じ（Ｓ１１２）、クイックリターンミラー２０３を図１の位置にダウンさせる（Ｓ１１３）。
【００５５】
なお、ステップＳ１０３における動画対応の撮影レンズか否かの判定は、レンズＩＤ（識別）情報と、予めＥＥＰＲＯＭ２２３に記憶されているテーブル情報との突き合わせで行っている。しかし、装着されている撮影レンズから動画対応の撮影レンズ１００であることを示すフラグを送信し、それを受信することでシステムコントローラ２３０が判定するようにしても良い。
【００５６】
次にシステムコントローラ２３０は、レリーズスイッチＳＷ１（２３３）およびレリーズスイッチＳＷ２（２３４）がＯＮされることにより、静止画撮影開始が指示されたか否かを判定する（Ｓ１１５）。この判定において、レリーズスイッチがＯＮされたと判定した場合には、静止画撮影処理を行う（Ｓ１１６）。一方、レリーズスイッチがＯＮされていないと判定した場合には、ステップＳ１１７に進む。
【００５７】
次にシステムコントローラ２３０は、動画撮影開始スイッチ２３６がＯＮされたか否かを判定する（Ｓ１１７）。この判定において、動画撮影開始スイッチ２３６がＯＮされたと判定した場合には、動画撮影処理を行う（Ｓ１１８）。一方、動画撮影開始スイッチ２３６がＯＮされていないと判定した場合には、ステップＳ１１９に進む。
【００５８】
次に、システムコントローラ２３０は、電気接点ユニット１０７によって撮影レンズが外されていないかを判定する（Ｓ１１９）。このステップＳ１１９の判定において、撮影レンズが外されていないと判断したら、ステップＳ１２０に進む。撮影レンズが外されていたと判断した場合、ステップＳ１２１に進み、停止処理を行う。
【００５９】
次に、システムコントローラ２３０は、操作スイッチ２３２に含まれる電源スイッチがオフされていないか判定する（Ｓ１２０）。電源スイッチがＯＦＦされていないと判定した場合には、ステップＳ１１５に戻る。一方、ステップＳ１２０の判定において、電源スイッチがＯＦＦされたと判定した場合に、システムコントローラ２３０は、停止処理を行ってカメラを休止モードに移行させ（Ｓ１２１）、処理を終了する。
【００６０】
なお、このフローでは動画対応の撮影レンズ１００でも動画非対応の撮影レンズ４００でも、静止画撮影処理（Ｓ１１６）と動画撮影処理（Ｓ１１８）の両方を行うことができる。ライブビューファインダ表示と光学ファインダ表示により、それぞれ動画と静止画に向いたモードに切り替えることはしたが、本実施例においては動画非対応の撮影レンズ４００で動画撮影を禁止していない。利用者・利用シーンによっては動画非対応の撮影レンズ４００で動画を撮影して撮影結果に多少の不都合があったとしても問題ないケースもあるので、本実施例では禁止していないが、初心者向けの機種など禁止したほうがいい場合は禁止してもよい。
【００６１】
（静止画撮影動作の例）
図３は本実施例における静止画撮影動作の一例を示したフローチャートである。
【００６２】
ステップＳ１１６にて静止画撮影処理が開始されると、システムコントローラ２３０は、測光センサ２０８によって測光を行うと共に、この時の測光結果から、適正な絞り値とシャッタ速度を求める露出演算を実行する（Ｓ３０１）。
【００６３】
次に、位相差ＡＦセンサ２０５によって検出した像からデフォーカス量を求め、この値に応じて撮影レンズ１００または４００を駆動させる（Ｓ３０２）。
【００６４】
次に、システムコントローラ２３０は、レリーズスイッチＳＷ２（２３４）がオンされたか否かを判定する（Ｓ３０３）。この判定において、レリーズスイッチＳＷ２がオンされたと判定した場合に、システムコントローラ２３０は、クイックリターンミラー２０３をペンタプリズム２０１側に退避させた後（Ｓ３０５）、絞り機構１０２を絞る（Ｓ３０６）。その後、ステップＳ３０１で求めたシャッタ秒時だけシャッタ２１０をオープン（Ｓ３０７）した後、クローズ（Ｓ３０９）する。その間カメラＤＳＰ２２７に静止画の取り込みを指示する（Ｓ３０８）。
【００６５】
このときステップＳ１０５からのライブビューシーケンス中であればすでにクイックリターンミラー２０３はアップされ、シャッタ２１０もオープンされているはずなので、再度行う必要はない。
【００６６】
その後、システムコントローラ２３０は、カメラＤＳＰ２２７に取り込んだ静止画の画像処理を行うように指示する（Ｓ３１０）。
【００６７】
画像の取り込み及び画像処理終了後、システムコントローラ２３０は、絞り機構１０２を開放し（Ｓ３１１）、クイックリターンミラー２０３を図１の位置に戻した後（Ｓ３１２）、カメラＤＳＰ２２７へ画象処理した画像を不揮発性メモリ２２４に記憶させるように指示する（Ｓ３１３）。この後、ステップＳ３１４に移行する。
【００６８】
このときステップＳ１０５からのライブビューシーケンス中であれば、クイックリターンミラー２０３はダウンせず、シャッタ２１０はクローズしない。
【００６９】
また、ステップＳ３０３の判定において、レリーズスイッチＳＷ２がＯＮされていないと判定した場合に、システムコントローラ２３０はレリーズスイッチＳＷ１がＯＮ状態であるか否かを判定する（Ｓ３０４）。この判定において、レリーズスイッチＳＷ１がＯＮされていると判定した場合には、ステップＳ３０３に戻る。一方、ステップＳ３０４の判定において、レリーズスイッチＳＷ１がＯＦＦされたと判定した場合には、このフローチャートを抜ける。
【００７０】
また、画像記録の終了後、システムコントローラ２３０はレリーズスイッチＳＷ１がオンであるかを判定する（Ｓ３１４）。この判定においてレリーズスイッチＳＷ１がオンならステップＳ３１４に戻る。ステップＳ３１４の判定においてレリーズスイッチＳＷ１がオフと判断した場合には、このフローチャートを抜ける。
【００７１】
（動画撮影動作の例）
図４は本実施例における動画撮影動作の一例を示したフローチャートである。
【００７２】
ステップＳ１１８にて動画撮影処理シーケンスが開始されると、現在がステップＳ１１１からの光学ファインダモードであった場合、システムコントローラ２３０は、クイックリターンミラー２０３をペンタプリズム２０１側に退避させる（Ｓ４１０）。その後、シャッタ２１０をオープン（Ｓ４１１）する。もちろんステップＳ１０５からのライブビュー表示中は必要ない。
【００７３】
システムコントローラ２３０は、カメラＤＳＰ２２７へ撮像素子２１２からの画像読み出しを指示する。（Ｓ４０１）
続いて、ステップＳ４０２に進み、撮像素子２１２を用いたコントラスト検出による焦点検出が行われる。これは撮像素子２１２内の位相差センサを用いてもよい。
【００７４】
次に、システムコントローラ２３０は、撮像素子２１２によって測光を行うと共に、この時の測光結果から、適正な絞り値とシャッタ速度を求める露出演算を実行する（Ｓ４０３）。
【００７５】
測光終了後、焦点検出結果に基づいてレンズコントローラ１０８がフォーカスレンズ１０１を駆動する（Ｓ４０４）。
【００７６】
次にシステムコントローラ２３０はステップＳ４０１で撮像素子２１２から読み出してカメラＤＳＰ２２７に取り込んだ画像の現像処理を行うよう指示する（Ｓ４０５）。
【００７７】
カメラＤＳＰ２２７へ画象処理した画像を不揮発性メモリ２２４に記録させるように指示する（Ｓ４０６）。
【００７８】
次にシステムコントローラ２３０は、モニタ表示部２２０へのライブビュー表示を行うようカメラＤＳＰ２２７へ指示する（Ｓ４０７）。
【００７９】
次に動画撮影開始スイッチ２３６を再度押すなどの操作により、動画撮影を終了する操作があった場合にはステップＳ４１２に進み、そうでなければステップＳ４０１に戻り、動画撮影を続行する（Ｓ４０８）。
【００８０】
動画撮影を終了する操作があった場合、動画撮影前がステップＳ１０５からのライブビュー表示中であれば、そのままライブビュー表示を継続してステップＳ１１９に進み、動画撮影処理フローを終了する。
【００８１】
動画撮影前がステップＳ１１１からの光学ファインダモードであった場合、システムコントローラ２３０は、シャッタ２１０をクローズして（Ｓ４１２）、ライブビュー表示を停止する。そして、クイックリターンミラー２０３を図１の位置に戻したのち（Ｓ４１３）、ステップＳ１１９に進み、動画撮影処理シーケンスが終了する。
【符号の説明】
【００８２】
１００  動画対応の撮影レンズ
４００  動画非対応の撮影レンズ
２０３  クイックリターンミラー
２１０  フォーカルプレーンシャッタ
２１２  撮像素子
２１３  ミラー駆動機構
２２７  カメラＤＳＰ
２３０  システムコントローラ
【図１】
0005693129.tif 000002
【図２】
0005693129.tif 000003
【図３】
0005693129.tif 000004
【図４】
0005693129.tif 000005